(57)【要約】  構造の簡素化を図った上で耳に対する安定した装着状態を確保する。  音声を出力するスピーカーと、対向面を有し少なくとも一部が耳の外耳道に挿入されるベース体と、少なくとも一部が対向面に対向する相対面を有しベース体に対して回転可能な回転体と、対向面の中央部に対して変位する位置又は相対面の中央部に対して変位する位置の少なくとも一方の位置に存在し回転体のベース体に対する回転支点とされる支点軸とを備え、ベース体が外耳道に挿入された状態においてベース体に対して回転された回転体が耳の一部に接触可能にされた。
2019187610.tif 000002
【特許請求の範囲】
【請求項１】
音声を出力するスピーカーと、
対向面を有し少なくとも一部が耳の外耳道に挿入されるベース体と、
少なくとも一部が前記対向面に対向する相対面を有し前記ベース体に対して回転可能な回転体と、
前記対向面の中央部に対して変位する位置又は前記相対面の中央部に対して変位する位置の少なくとも一方の位置に存在し前記回転体の前記ベース体に対する回転支点とされる支点軸とを備え、
前記ベース体が外耳道に挿入された状態において前記ベース体に対して回転された前記回転体が耳の一部に接触可能にされた
音響出力装置。
【請求項２】
前記ベース体に対して回転された前記回転体の少なくとも一部が耳甲介腔に挿入される
請求項１に記載の音響出力装置。
【請求項３】
前記ベース体に対して回転された前記回転体の少なくとも一部が対耳輪又は対耳輪下脚に接触される
請求項１に記載の音響出力装置。
【請求項４】
前記ベース体は中心軸を基準として回転されることにより形成される回転面である外周面を有し、
前記対向面と前記相対面が前記中心軸に直交する平面に対して傾斜され、
前記支点軸の軸方向が前記対向面に直交する方向にされた
請求項１に記載の音響出力装置。
【請求項５】
前記対向面と前記相対面が面接触された
請求項１に記載の音響出力装置。
【請求項６】
前記ベース体の内部にマイクロフォンが配置され、
前記ベース体における前記相対面に対向する部分には前記マイクロフォンへの音声の入力を行うための音声入力孔が形成された
請求項１に記載の音響出力装置。
【請求項７】
前記回転体は一端が前記相対面の外周に連続する周面を有し、
前記周面が曲面に形成された
請求項１に記載の音響出力装置。
【請求項８】
前記ベース体が前記回転体から離隔するに従って外周の大きさが小さくなる先細りの形状に形成された
請求項１に記載の音響出力装置。
【請求項９】
前記ベース体が略円錐形状に形成された
請求項８に記載の音響出力装置。
【請求項１０】
前記ベース体における先端側の部分の外面が先端側に凸の曲面形状に形成された
請求項８に記載の音響出力装置。
【請求項１１】
前記ベース体は内部が配置空間として形成された筐体と前記筐体における外面の少なくとも一部に密着されたイヤーピースとを有し、
前記イヤーピースが弾性変形可能な材料によって形成された
請求項１に記載の音響出力装置。
【請求項１２】
前記イヤーピースには音声出力孔が形成された先端部と前記先端部に連続され筒状に形成された外周部とを有し、
前記先端部の厚みが前記外周部の厚みより厚くされた
請求項１１に記載の音響出力装置。
【請求項１３】
前記回転体が前記ベース体に対して反対回り方向へ回転可能にされた
請求項１に記載の音響出力装置。
【請求項１４】
前記回転体の内部には略円柱状の電池と前記電池から電力が供給される制御基板とが配置され、
前記電池の軸方向と前記制御基板の向く方向とが前記ベース体と前記回転体の並び方向に一致された
請求項１に記載の音響出力装置。
【請求項１５】
前記電池と前記制御基板が対向した状態で位置された
請求項１４に記載の音響出力装置。
【請求項１６】
信号の送受信を行うアンテナが設けられた
請求項１に記載の音響出力装置。
【請求項１７】
それぞれ一部が前記ベース体の内部と前記回転体の内部とに位置されると共に少なくとも電力の供給を行うための接続線が設けられ、
前記支点軸が筒状に形成され、
前記接続線の一部が前記支点軸に挿通された
請求項１に記載の音響出力装置。
【請求項１８】
前記支点軸の軸方向における長さが可変される
請求項１に記載の音響出力装置。
【発明の詳細な説明】
【技術分野】
【０００１】
本技術は音声を出力するスピーカーを備えた音響出力装置についての技術分野に関する。
【背景技術】
【０００２】
頭部に装着されてヘッドホンやイヤホンとして使用されスピーカーから音声の出力が行われる音響出力装置があり、音響出力装置は、近年、室内で使用される態様の他に、室外で使用される態様も増加している。音響出力装置には、内部に音声を出力するスピーカーやスピーカー等の駆動を制御する制御基板等が配置されている。【０００３】
このような音響出力装置には、スピーカー等が配置されたハウジングに対して回転可能な可動体が設けられているものがある（特許文献１参照）。【０００４】
特許文献１に記載された音響出力装置にあっては、ハウジング本体とフロントキャップが結合されてハウジングが構成され、可動体がハウジング本体とフロントキャップに跨がる位置に支持された状態でハウジングに対して回転可能にされている。可動体には突部が設けられており、可動体の突部が耳の耳甲介腔に挿入可能な構成にされている。【０００５】
特許文献１に記載された音響出力装置においては、可動体のハウジングに対する回転位置に応じて突部の耳に対する接触状態が調整され、音響出力装置の耳に対する装着感を変更することが可能にされている。例えば、突部が対耳輪等の耳の一部に接触されることにより高い装着感が得られ、逆に、突部が耳の一部から離隔して位置されることにより圧迫感の低い装着感が得られる。
【先行技術文献】
【特許文献】
【０００６】
【特許文献１】特開平７−５０８９２号公報
【発明の概要】
【発明が解決しようとする課題】
【０００７】
ところで、特許文献１に記載された音響出力装置１にあっては、可動体がハウジング本体とフロントキャップに跨がる位置に支持された状態でハウジングに対して回転可能にされており、構造が複雑になるおそれがある。【０００８】
また、上記のような音響出力装置にあっては、耳に装着された状態において安定した装着状態が得られることが望ましい。【０００９】
そこで、本技術音響出力装置は、上記した問題点を克服し、構造の簡素化を図った上で耳に対する安定した装着状態を確保することを目的とする。
【課題を解決するための手段】
【００１０】
第１に、本技術に係る音響出力装置は、音声を出力するスピーカーと、対向面を有し少なくとも一部が耳の外耳道に挿入されるベース体と、少なくとも一部が前記対向面に対向する相対面を有し前記ベース体に対して回転可能な回転体と、前記対向面の中央部に対して変位する位置又は前記相対面の中央部に対して変位する位置の少なくとも一方の位置に存在し前記回転体の前記ベース体に対する回転支点とされる支点軸とを備え、前記ベース体が外耳道に挿入された状態において前記ベース体に対して回転された前記回転体が耳の一部に接触可能にされたものである。【００１１】
これにより、外耳道に挿入されたベース体に対して回転体が対向面又は相対面の中央部に対して変位した位置を支点として回転されることにより耳の一部に接触される。【００１２】
第２に、上記した音響出力装置においては、前記ベース体に対して回転された前記回転体の少なくとも一部が耳甲介腔に挿入されることが望ましい。【００１３】
これにより、ベース体が外耳道の開口縁に接触すると共に回転体の少なくとも一部が耳甲介腔に挿入された状態で耳に音響出力装置が装着される。【００１４】
第３に、上記した音響出力装置においては、前記ベース体に対して回転された前記回転体の少なくとも一部が対耳輪又は対耳輪下脚に接触されることが望ましい。【００１５】
これにより、ベース体が外耳道の開口縁に接触すると共に回転体の少なくとも一部が対耳輪又は対耳輪下脚に接触した状態で耳に音響出力装置が装着される。【００１６】
第４に、上記した音響出力装置においては、前記ベース体は中心軸を基準として回転されることにより形成される回転面である外周面を有し、前記対向面と前記相対面が前記中心軸に直交する平面に対して傾斜され、前記支点軸の軸方向が前記対向面に直交する方向にされることが望ましい。【００１７】
これにより、対向面と相対面が中心軸に対して傾斜されると共に支点軸の軸方向が対向面に直交する方向にされる。【００１８】
第５に、上記した音響出力装置においては、前記対向面と前記相対面が面接触されることが望ましい。【００１９】
これにより、対向面と相対面の間に隙間が存在しない。【００２０】
第６に、上記した音響出力装置においては、前記ベース体の内部にマイクロフォンが配置され、前記ベース体における前記相対面に対向する部分には前記マイクロフォンへの音声の入力を行うための音声入力孔が形成されることが望ましい。【００２１】
これにより、回転体のベース体に対する回転に応じて音声入力孔が開閉される。【００２２】
第７に、上記した音響出力装置においては、前記回転体は一端が前記相対面の外周に連続する周面を有し、前記周面が曲面に形成されることが望ましい。【００２３】
これにより、回転体がベース体に対して回転されたときに曲面に形成された周面が耳の一部に接触されて押し付けられる。【００２４】
第８に、上記した音響出力装置においては、前記ベース体が前記回転体から離隔するに従って外周の大きさが小さくなる先細りの形状に形成されることが望ましい。【００２５】
これにより、外耳道の大きさに拘わらずベース体が外耳道に挿入されると共に外耳道の開口縁に接触される。【００２６】
第９に、上記した音響出力装置においては、前記ベース体が略円錐形状に形成されることが望ましい。【００２７】
これにより、外耳道の大きさに拘わらずベース体が外耳道に挿入されると共に外耳道の開口縁に接触される。【００２８】
第１０に、上記した音響出力装置においては、前記ベース体における先端側の部分の外面が先端側に凸の曲面形状に形成されることが望ましい。【００２９】
これにより、外面が先端側に凸の曲面形状に形成された先端側の部分からベース体が外耳道に挿入される。【００３０】
第１１に、上記した音響出力装置においては、前記ベース体は内部が配置空間として形成された筐体と前記筐体における外面の少なくとも一部に密着されたイヤーピースとを有し、前記イヤーピースが弾性変形可能な材料によって形成されることが望ましい。【００３１】
これにより、弾性変形可能なイヤーピースが外耳道の開口縁に接触される。【００３２】
第１２に、上記した音響出力装置においては、前記イヤーピースには音声出力孔が形成された先端部と前記先端部に連続され筒状に形成された外周部とを有し、前記先端部の厚みが前記外周部の厚みより厚くされることが望ましい。【００３３】
これにより、イヤーピースの内側に位置された筐体の配置空間を大きくすることが可能になる。【００３４】
第１３に、上記した音響出力装置においては、前記回転体が前記ベース体に対して反対回り方向へ回転可能にされることが望ましい。【００３５】
これにより、使用者が回転方向を選択して回転体を回転することが可能になる。【００３６】
第１４に、上記した音響出力装置においては、前記回転体の内部には略円柱状の電池と前記電池から電力が供給される制御基板とが配置され、前記電池の軸方向と前記制御基板の向く方向とが前記ベース体と前記回転体の並び方向に一致されることが望ましい。【００３７】
これにより、電池の厚み方向と制御基板の厚み方向とが何れもベース体と回転体の並び方向に一致される。【００３８】
第１５に、上記した音響出力装置においては、前記電池と前記制御基板が対向した状態で位置されることが望ましい。【００３９】
これにより、ベース体と回転体の並び方向において電池と制御基板が並んで位置される。【００４０】
第１６に、上記した音響出力装置においては、信号の送受信を行うアンテナが設けられることが望ましい。【００４１】
これにより、外部機器との間での信号の送受信を行うためのケーブルを接続する必要がない。【００４２】
第１７に、上記した音響出力装置においては、それぞれ一部が前記ベース体の内部と前記回転体の内部とに位置されると共に少なくとも電力の供給を行うための接続線が設けられ、前記支点軸が筒状に形成され、前記接続線の一部が前記支点軸に挿通されることが望ましい。【００４３】
これにより、一部が支点軸に挿通された接続線によってベース体の内部に配置された部分と回転体の内部に配置された部分とが接続可能にされる。【００４４】
第１８に、上記した音響出力装置においては、前記支点軸の軸方向における長さが可変されることが望ましい。【００４５】
これにより、支点軸の長さを変更してベース体と回転体の距離を変更することが可能になる。
【発明の効果】
【００４６】
本技術によれば、外耳道に挿入されたベース体に対して回転体が対向面又は相対面の中央部に対して変位した位置を支点として回転されることにより耳の一部に接触されるため、構造の簡素化を図った上で耳に対する安定した装着状態を確保することができる。【００４７】
尚、本明細書に記載された効果はあくまでも例示であって限定されるものではなく、他の効果があってもよい。
【図面の簡単な説明】
【００４８】
【図１】図２乃至図３９と共に本技術音響出力装置の実施の形態を示すものであり、本図は、音響出力装置が装着される耳の斜視図である。
【図２】図１のＩＩ−ＩＩ線に沿う断面図である。
【図３】音響出力装置の斜視図である。
【図４】回転体がベース体に対して回転された状態を示す音響出力装置の斜視図である。
【図５】回転体がベース体に対して回転された状態を図４とは異なる方向から見た状態で示す音響出力装置の斜視図である。
【図６】音響出力装置の正面図である。
【図７】音響出力装置の背面図である。
【図８】音響出力装置の平面図である。
【図９】音響出力装置の底面図である。
【図１０】音響出力装置の一方の側面図である。
【図１１】音響出力装置の他方の側面図である。
【図１２】音響出力装置の断面図である。
【図１３】音声入力孔の形状の一例を示す側面図である。
【図１４】音声入力孔の形状の別の一例を示す側面図である。
【図１５】非回転状態においてベース体が外耳道に挿入された状態を示す図である。
【図１６】非回転状態においてベース体が外耳道に挿入された状態を図１５とは異なる方向から見た状態で示す図である。
【図１７】回転体がベース体に対して回転された状態を示す断面図である。
【図１８】回転体がベース体に対して回転され音響出力装置が耳に装着された状態を示す図である。
【図１９】回転体がベース体に対して回転され音響出力装置が耳に装着された状態を図１８とは異なる方向から見た状態で示す図である。
【図２０】回転体がベース体に対して回転され音響出力装置が耳に装着された状態を図１８及び図１９とは異なる方向から見た状態で示す図である。
【図２１】ケーブルが接続された音響出力装置の例を示す断面図である。
【図２２】ケーブルが接続された音響出力装置において回転体がベース体に対して回転された状態を示す断面図である。
【図２３】図２４乃至図３０と共に対向面や支点軸の向きが異なる音響出力装置の各例を示すものであり、本図は、対向面が中心軸に対して直交され支点軸の軸方向が対向面に直交された例を示す正面図である。
【図２４】対向面が中心軸に対して直交され支点軸の軸方向が対向面に直交された例において、回転体がベース体に対して回転された状態を示す正面図である。
【図２５】対向面が中心軸に対して直交され支点軸の軸方向が中心軸に対して傾斜された例を示す正面図である。
【図２６】対向面が中心軸に対して直交され支点軸の軸方向が中心軸に対して傾斜された例において、回転体がベース体から離隔された状態を示す正面図である。
【図２７】対向面が中心軸に対して直交され支点軸の軸方向が中心軸に対して傾斜された例において、回転体がベース体に対して回転された状態を示す正面図である。
【図２８】対向面が中心軸に対して傾斜され支点軸の軸方向が中心軸に一致された例を示す正面図である。
【図２９】対向面が中心軸に対して傾斜され支点軸の軸方向が中心軸に一致された例において、回転体がベース体から離隔された状態を示す正面図である。
【図３０】対向面が中心軸に対して傾斜され支点軸の軸方向が中心軸に一致された例において、回転体がベース体に対して回転された状態を示す正面図である。
【図３１】支点軸が対向面の中央部に位置された音響出力装置の例を示す側面図である。
【図３２】支点軸が対向面の中央部に位置された音響出力装置の例において、回転体がベース体に対して回転された状態を示す側面図である。
【図３３】支点軸が相対面の中央部に位置された音響出力装置の例を示す側面図である。
【図３４】支点軸が相対面の中央部に位置された音響出力装置の例において、回転体がベース体に対して回転された状態を示す側面図である。
【図３５】音響出力装置の斜視図である。
【図３６】回転体がベース体に対して回転された状態を示す音響出力装置の斜視図である。
【図３７】回転体がベース体に対して回転された状態を図３６とは異なる方向から見た状態で示す音響出力装置の斜視図である。
【図３８】音響出力装置の正面図である。
【図３９】回転体がベース体に対して回転された状態を示す音響出力装置の斜視図である。
【発明を実施するための形態】
【００４９】
以下に、本技術音響出力装置を実施するための形態を添付図面に従って説明する。
【００５０】
以下に示した実施の形態は、本技術音響出力装置をイヤホンに適用したものである。但し、本技術の適用範囲はイヤホンに限られることはなく、ヘッドホン等の他の各種の音響出力装置に広く適用することができる。
【００５１】
＜耳の構造＞
先ず、音響出力装置が装着される耳の構造について説明する（図１及び図２参照）。
【００５２】
耳１００、１００は頭部２００の一部とされており、それぞれ耳介１０１、１０１と頭部２００の内部に存在する鼓膜や三半規管や蝸牛等の各部とから成る。頭部２００のうち耳介１０１、１０１の内側の部分はそれぞれ側頭部２０１、２０１であり、耳介１０１、１０１はそれぞれ側頭部２０１、２０１から左方又は右方に突出されている。
【００５３】
耳介１０１は内側空間１５０を有するように全体として略前方に開口された浅い凹状にされ、外周部が耳輪１０２と称される部分と耳輪１０２に連続され側頭部２０１の近傍に位置された耳輪脚１０３と称される部分とを有している。
【００５４】
耳輪１０２の内側の部分は凹状の舟状窩１０４と称され、舟状窩１０４の内側における下側略半分の部分は凸状の対耳輪１０５と称される。対耳輪１０５の上方には対耳輪１０５に連続して二股状の凸状の部分が存在し、この二股状の部分のうちの外側の部分と内側の部分がそれぞれ対耳輪上脚１０６と対耳輪下脚１０７と称される。対耳輪上脚１０６と対耳輪下脚１０７の間の部分は凹状の三角窩１０８と称され、対耳輪１０５及び対耳輪下脚１０７の内側の部分は凹状の耳甲介艇１０９と称される。
【００５５】
対耳輪１０５の下側に連続する部分は側頭部２０１側に稍膨出され、対耳珠１１０と称される部分である。対耳珠１１０に対向する側頭部２０１側の部分は対耳珠１１０側に稍膨出された耳珠１１１と称され、耳輪１０２の下側に連続する下端部が耳垂１１２と称される。
【００５６】
対耳珠１１０と耳珠１１１の間の部分には外耳道１１３の入口である外耳孔１１３ａが存在し、外耳道１１３は鼓膜や三半規管等に連通されている。耳介１０１の内側空間１５０のうち、対耳輪１０５と対耳輪下脚１０７と耳輪脚１０３によって囲まれた空間、即ち、耳甲介艇１０９の前側の空間は耳甲介腔１１４と称され、外耳道１１３の外耳孔１１３ａに連通されている。内側空間１５０のうち耳甲介腔１１４の下側に連続しＵ字状に開いた空間は珠間切痕１１５と称される空間である。
【００５７】
耳介１０１の内側空間１５０は耳甲介腔１１４と珠間切痕１１５と外耳道１１３の外耳孔１１３ａ付近の空間とを含み、舟状窩１０４、対耳輪１０５、対耳輪上脚１０６、対耳輪下脚１０７、三角窩１０８、対耳珠１１０及び耳珠１１１の前側の空間をも含む空間である。
【００５８】
＜音響出力装置の構成＞
次に、音響出力装置１、１の構成について説明する（図３乃至図１２参照）。音響出力装置１、１は一方が左の耳１００用として使用され他方が右の耳１００用として使用される。但し、何れか一方の音響出力装置１を使用して音声の聞き取りを行ってもよい。
【００５９】
音響出力装置１は少なくとも一部が耳１００の外耳道１１３に挿入されるベース体２とベース体２に対して回転可能な回転体３とを備えている。
【００６０】
尚、以下の音響出力装置１の構成は、特段の説明がない限り、回転体３がベース体２に対して回転される前の非回転状態において説明する。また、ベース体２と回転体３は所定の方向において並んで位置されるが、以下の説明においては、ベース体２と回転体３の並び方向を左右方向として前後上下左右の方向を示すものとする。但し、以下に示す前後上下左右の方向は説明の便宜上のものであり、本技術の実施に関しては、これらの方向に限定されることはない。
【００６１】
音響出力装置１は全体として軸方向が左右方向にされた略円錐形状に形成されている。
【００６２】
ベース体２は軸方向が左右方向にされた略円錐形状に形成され、例えば、金属材料や樹脂材料によって形成された筐体４と、例えば、シリコンやゴムやウレタン等の弾性変形可能な材料によって形成されたイヤーピース５とを有している。
【００６３】
ベース体２は、円錐形状の底面に相当する平面が対向面２ａとして形成され、円錐の側面に相当する面が外周面２ｂとして形成されている。外周面２ｂは、仮想の中心軸Ｐ（図６及び図１２参照）を含む平面上の直線を、中心軸Ｐを基準として回転されることにより形成される回転面とされ、対向面２ａから離隔するに従って径が小さくなるように形成されている。中心軸Ｐは軸方向が左右方向とされ、ベース体２と回転体３の並び方向に一致されている。ベース体２における外周面２ｂの対向面２ａと反対側の一端に連続する面は、対向面２ａと反対側に凸の曲面に形成され、この曲面が先端面２ｃとして形成されている。先端面２ｃは、例えば、略半球状に形成されている。
【００６４】
筐体４は左右方向において一方に開口された椀状のケース部６とケース部６の開口を閉塞するカバー部７とが結合されて成り略円錐状に形成されている（図１２参照）。筐体４の内部空間は配置空間４ａとして形成されている。
【００６５】
ケース部６は左右方向における一方へ行くに従って小径となる筒状の周状部８と周状部８の小径側の一端に連続する略半球状の端部９とから成る。周状部８には結合孔８ａ、８ａ、・・・が形成されている。端部９には音声出力孔９ａ、９ａが形成され、音声出力孔９ａ、９ａは、例えば、円弧状に形成されている。
【００６６】
カバー部７は円板状の孔形成部１０と孔形成部１０の外周部からケース部６側に突出された環状部１１とから成る。
【００６７】
孔形成部１０は中心軸Ｐに対して傾斜されている。孔形成部１０の外周寄りの位置には軸支持孔１０ａが形成されている。従って、軸支持孔１０ａは中心軸Ｐに対して変位した位置に形成されている。孔形成部１０には複数の音声入力孔１０ｂ、１０ｂ、・・・が形成されている。
【００６８】
音声入力孔１０ｂ、１０ｂ、・・・は全体として一定以上の開口率が確保されていれば任意の形状に形成することが可能になる。音声入力孔１０ｂは、例えば、円形状に形成されていてもよく（図１３参照）、例えば、円弧状に形成されていてもよい（図１４参照）。
【００６９】
尚、音響出力装置１においては、後述するように、回転体３がベース体２に対して回転されることにより、閉塞されていた音声入力孔１０ｂ、１０ｂ、・・・が開放されるため、一定以上の開口率とは回転体３のベース体２に対する回転により開放された音声入力孔１０ｂ、１０ｂ、・・・の開口率である。
【００７０】
環状部１１はケース部６の周状部８に結合されている。
【００７１】
筐体４はカバー部７の少なくとも一部がイヤーピース５から回転体３側に突出された状態にされている（図１２参照）。
【００７２】
イヤーピース５は筐体４におけるケース部６の全体を外側から覆う状態で配置され内面がケース部６の外面に密着されている。イヤーピース５は左右方向において一方に開口され、左右方向における一方へ行くに従って小径となる筒状の外周部１２と外周部１２の小径側の一端に連続する略半球状の先端部１３と外周部１２から内側に突出された結合用突部１４、１４、・・・とから成る。
【００７３】
イヤーピース５は先端部１３の厚みが外周部１２の厚みより厚くされている。従って、イヤーピース５において外周部１２の厚みが先端部１３の厚みより薄くされるため、イヤーピース５の内側に位置された筐体４の配置空間４ａを大きくすることが可能になり、配置空間４ａに配置される各部の十分なスペースを確保した上で音響出力装置１の小型化を図ることができる。
【００７４】
先端部１３には音声出力孔１３ａ、１３ａが形成され、音声出力孔１３ａ、１３ａは、例えば、円弧状に形成されている。
【００７５】
結合用突部１４には他の部分より径が大きくされた係合部１４ａが設けられている。
【００７６】
イヤーピース５は結合用突部１４、１４、・・・がそれぞれケース部６の結合孔８ａ、８ａ、・・・に挿入され、挿入時に弾性変形された係合部１４ａ、１４ａ、・・・が周状部８の内面側に達したときに弾性復帰されることにより結合孔８ａ、８ａ、・・・の内側開口縁に係合される。このように係合部１４ａ、１４ａ、・・・がそれぞれ結合孔８ａ、８ａ、・・・の内側開口縁に係合されることにより、イヤーピース５が筐体４に結合される。
【００７７】
尚、筐体４とイヤーピース５は、例えば、成形用金型のキャビティに筐体４を配置した状態でイヤーピース５の基材となる溶融材料をキャビティに充填する所謂インサート成形等の他の方法によって一体に形成されていてもよい。
【００７８】
筐体４とイヤーピース５がベース体２として一体に形成されることにより、音響出力装置１における部品点数の削減及びベース体２の強度の向上を図ることができる。
【００７９】
イヤーピース５が筐体４に結合された状態において、筐体４の音声出力孔９ａ、９ａとイヤーピース５の音声出力孔１３ａ、１３ａとがそれぞれ一致される。
【００８０】
上記のように構成されたベース体２において、カバー部７における孔形成部１０の外面が対向面２ａとされ、イヤーピース５における外周部１２の外面が外周面２ｂとされ、イヤーピース５における先端部１３の外面が先端面２ｃとされる。
【００８１】
回転体３は軸方向が左右方向にされた略円柱形状に形成され、例えば、金属材料や樹脂材料によって形成されている。
【００８２】
回転体３は、円柱形状において対向面２ａ側の面が相対面３ａとして形成され、円柱の側面に相当する面が周面３ｂとして形成されている。周面３ｂは中心軸Ｑ（図６及び図１２参照）を含む平面上の直線を中心軸Ｑを基準として回転されることにより形成される回転面とされ、相対面３ａから離隔するに従って径が大きくなるように形成されている。周面３ｂの中心軸Ｑに対する傾斜角度は外周面２ｂの中心軸Ｐに対する傾斜角度と同じにされている。回転体３は、円柱形状において相対面３ａと反対側の面が円形状の底面３ｃとして形成されている。
【００８３】
回転体３は、相対面３ａの外径が対向面２ａの外径と同じか対向面２ａの外径より稍大きくされ、相対面３ａから底面３ｃへ行くに従って径が大きくなるように形成されている。従って、回転体３はベース体２より外径が大きくされている。
【００８４】
回転体３は左右方向においてベース体２側に開口された箱状のハウジング部１５とハウジング部１５の開口を閉塞する蓋部１６とが結合されて成る（図１２参照）。回転体３の内部空間は部品配置空間３ｄとして形成されている。
【００８５】
ハウジング部１５は左右方向においてベース体２側へ行くに従って小径となる筒状の周面部１７と周面部１７の大径側の一端に連続する平板状の底部１８とから成る。
【００８６】
蓋部１６は円板状のベース部１９とベース部１９の外周部から周面部１７側に突出された環状の立上部２０とから成る。
【００８７】
ベース部１９は中心軸Ｑに対して傾斜されている。ベース部１９の中心軸Ｑに対する傾斜角度は、ベース体２における孔形成部１０の中心軸Ｐに対する傾斜角度と同じにされている。ベース部１９の外周寄りの位置には軸支持孔１９ａが形成されている。従って、軸支持孔１９ａは中心軸Ｑに対して変位した位置に形成されている。立上部２０はハウジング部１５の周面部１７に結合されている。
【００８８】
上記のように構成された回転体３において、蓋部１６におけるベース部１９の外面が相対面３ａとされ、ハウジング部１５における周面部１７の外面が周面３ｂとされ、ハウジング部１５における底部１８の外面が底面３ｃとされる。
【００８９】
音響出力装置１にあっては、ベース体２における外周面２ｂの中心軸Ｐに対する傾斜角度と回転体３における周面３ｂの中心軸Ｑに対する傾斜角度とが同じにされ、ベース体２における対向面２ａの中心軸Ｐに対する傾斜角度と回転体３における相対面３ａの中心軸Ｑに対する傾斜角度とが同じにされている。また、ベース体２の対向面２ａと回転体３の相対面３ａとが面接触されている。
【００９０】
ベース体２における筐体４の軸支持孔１０ａと回転体３の軸支持孔１９ａとには支点軸２１が挿通されている。支点軸２１は略円筒状に形成され、軸方向が対向面２ａと相対面３ａに直交する向きにされている。支点軸２１は回転体３のベース体２に対する回転支点とされており、中心軸Ｐ及び中心軸Ｑに対して変位した位置（偏心位置）、即ち、対向面２ａの中央部（中心部）と相対面３ａの中央部（中心部）に対して変位した位置に存在する。
【００９１】
従って、回転体３はベース体２に対し、中心軸Ｐ及び中心軸Ｑに対して変位した位置に存在する支点軸２１を支点として回転され、このとき面接触されている対向面２ａと相対面３ａが摺動される。
【００９２】
回転体３がベース体２に対して回転される前の非回転状態においては、中心軸Ｐと中心軸Ｑが一直線上に位置されている。また、非回転状態においては、ベース体２の対向面２ａと回転体３の相対面３ａとが面接触された状態で筐体４に形成された音声入力孔１０ｂ、１０ｂ、・・・が回転体３によって閉塞されている。
【００９３】
筐体４の配置空間４ａにはスピーカー２２とマイクロフォン２３が配置されている。スピーカー２２としては、例えば、ダイナミック型のスピーカーが用いられていてもよく、バランスドアーマチュア型のスピーカーが用いられていてもよい。マイクロフォン２３はスピーカー２２より音声入力孔１０ｂ、１０ｂ、・・・側に配置されている。
【００９４】
回転体３の部品配置空間３ｄには電池（バッテリー）２４と制御基板２５が配置されている。電池２４としては、例えば、略円柱状の所謂ボタン型が用いられている。制御基板２５は、例えば、スピーカー２２から出力される音声信号に関する各種の制御やマイクロフォン２３に入力される音声信号に関する各種の制御や電池２４の充電容量に関する制御等を行う機能を有している。電池２４と制御基板２５は左右方向において対向した状態で位置され、例えば、電池２４が制御基板２５よりベース体２側に位置されている。
【００９５】
電池２４の軸方向と制御基板２５の向く方向とはベース体２と回転体３の並び方向である左右方向に一致されている。
【００９６】
従って、電池２４の厚み方向と制御基板２５の厚み方向が何れもベース体２と回転体３の並び方向に一致されるため、ベース体２と回転体３の並び方向において音響出力装置１の小型化を図ることができる。
【００９７】
また、上記したように、電池２４と制御基板２５が左右方向において対向した状態で位置されている。
【００９８】
従って、ベース体２と回転体３の並び方向において電池２４と制御基板２５が並んで位置されるため、ベース体２と回転体３の並び方向に直交する方向において回転体３の小型化を図った上でベース体２と回転体３の並び方向における音響出力装置１の小型化を図ることができる。
【００９９】
ベース体２又は回転体３の内部には図示しないアンテナが配置されている。アンテナは、例えば、一部が制御基板２５に接続されており、無線通信等により、携帯機器等の通信装置を含む各種の外部機器との間での信号の送受信を行う機能を有している。尚、通信装置とアンテナの間の通信方式としては、例えば、Bluetooth（商標）方式の近接無線通信方式が用いられていてもよく、また、Wi-Fi（商標）（Wireless Fidelity）方式等が用いられていてもよい。
【０１００】
このように音響出力装置１においては、信号の送受信を行うアンテナが設けられているため、外部機器との間での信号の送受信を行うためのケーブルを接続する必要がなく、回転体３のベース体２に対する回転に対してケーブルが干渉することがなく、回転体３のベース体２に対する回転を円滑に行うことができる。
【０１０１】
電池２４とスピーカー２２、マイクロフォン２３及び制御基板２５とは接続線２６、２６、・・・によって接続され、制御基板２５は電池２４及び接続線２６、２６を介してスピーカー２２とマイクロフォン２３に接続されている。従って、スピーカー２２、マイクロフォン２３及び制御基板２５には接続線２６、２６、・・・を介して電池２４から電力が供給される。
【０１０２】
電池２４とスピーカー２２及びマイクロフォン２３とを接続する接続線２６、２６は、一部が支点軸２１に挿通されている。
【０１０３】
従って、一部が支点軸２１に挿通された接続線２６、２６によってスピーカー２２及びマイクロフォン２３と制御基板２５が接続されるため、接続線２６、２６をベース体２の内部と回転体３の内部との間に挿通させる専用の部品が不要になり、音響出力装置１の部品点数の削減による製造コストの低減を図ることができる。
【０１０４】
また、接続線２６、２６が支点軸２１によって保護されるため、接続線２６、２６の断線を防止することもできる。
【０１０５】
＜音響出力装置の耳への装着＞
以下に、音響出力装置１の耳１００への装着時における動作について説明する（図１５乃至図２０参照）。尚、以下には、例として、左の耳１００への装着時における動作について説明する。
【０１０６】
先ず、音響出力装置１の非回転状態において、ベース体２におけるイヤーピース５の先端部１３側の部分を外耳道１１３に挿入する（図１５及び図１６参照）。耳１００は、一般に、外耳道１１３の外耳孔１１３ａ付近の開口縁が縦長の略楕円形にされているため、イヤーピース５が外耳道１１３に挿入されると、イヤーピース５が少なくとも２点（図１６の点Ａ及び点Ｂ）において外耳道１１３の開口縁に接触される。
【０１０７】
従って、音響出力装置１はイヤーピース５が少なくとも２点において外耳道１１３の開口縁に接触されることにより、耳１００に保持され、音響出力装置１が耳１００から脱落し難い状態になる。
【０１０８】
尚、イヤーピース５を外耳道１１３に挿入するときには、支点軸２１が中心軸Ｐ、Ｑより上方に位置されていることが望ましい。
【０１０９】
このとき回転体３は、少なくとも一部が耳甲介腔１１４に挿入され、周面３ｂが対耳珠１１０又は耳珠１１１の少なくとも一方に接触されるか、耳１００の何れの部分にも接触されない状態になる。また、このとき音響出力装置１は非回転状態にあるため、ベース体２の対向面２ａと回転体３の相対面３ａとが面接触された状態で筐体４に形成された音声入力孔１０ｂ、１０ｂ、・・・が回転体３によって閉塞されている。
【０１１０】
次に、回転体３をベース体２に対して回転する（図１７乃至図２０参照）。回転体３のベース体２に対する回転は、例えば、回転体３がベース体２に対して前方から上方に変位する方向へ行う。このとき、上記したように、回転体３はベース体２より外径が大きくされているため、使用者はベース体２より大径の回転体３に指を宛がって回転することになり、回転体３を指で把持し易く、回転体３の良好な回転操作性を確保することができる。
【０１１１】
回転体３がベース体２に対して回転されると、回転体３は対耳珠１１０と耳珠１１１から離隔されていき、少なくとも一部が耳甲介腔１１４に挿入された状態で周面３ｂが対耳輪１０５の前縁又は対耳輪下脚１０７の前縁に少なくとも一点（図１８及び図２０の点Ｃ）で接触して押し当てられる。
【０１１２】
従って、音響出力装置１はベース体２が耳１００に少なくとも２点（点Ａ及び点Ｂ）で接触すると共に回転体３が耳１００に少なくとも１点（点Ｃ）で接触するため、合計で少なくとも３点で接触して耳１００に対して安定した状態で装着される。
【０１１３】
回転体３がベース体２に対して回転されるときには、回転体３によって閉塞されていた音声入力孔１０ｂ、１０ｂ、・・・が開放されていく（図１７参照）。
【０１１４】
従って、回転体３のベース体２に対する回転に応じて音声入力孔１０ｂ、１０ｂ、・・・が開閉されるため、非回転状態において音声入力孔１０ｂ、１０ｂ、・・・から水分や塵埃が侵入せず、音響出力装置１における防水性及び防塵性の向上を図ることができる。
【０１１５】
尚、音響出力装置１が耳１００に装着された状態においては、全体が耳介１０１の内側に位置されることが望ましい（図１９参照）。音響出力装置１の全体が耳１００の内側に位置されることにより、装着された状態において音響出力装置１が耳１００から外側に突出せず、手や指が音響出力装置１に接触し難く音響出力装置１が耳１００から脱落し難いと共に耳１００に対する安定した装着状態を確保することができる。
【０１１６】
上記のように音響出力装置１が耳１００に装着された状態において、例えば、通信装置から送信された音楽データ（音声信号）がアンテナによって受信され、受信された音楽データが制御基板２５によって制御され音声としてスピーカー２２から出力される。スピーカー２２から出力された音声は音声出力孔９ａ、９ａと音声出力孔１３ａ、１３ａから外耳道１１３を通って鼓膜に到達する。
【０１１７】
尚、音響出力装置１、１が左の耳１００と右の耳１００にそれぞれ装着された状態においては、一方の音響出力装置１のアンテナで受信した信号が他方の音響出力装置１のアンテナに送信されてステレオモードでの音声の出力が可能とされる。但し、通信装置から送信された音楽データ（音声信号）が双方の音響出力装置１、１のアンテナによってそれぞれ受信される構成にすることも可能である。
【０１１８】
また、スピーカー２２から音声が出力されるときには、マイクロフォン２３に音声入力孔１０ｂ、１０ｂａ、・・・から外部の音声が入力され、騒音として入力された音声をキャンセルするノイズキャンセリング機能が実行される。ノイズキャンセリング機能は、例えば、外部の音声におけるノイズが検出され、検出された各ノイズが最小になるように使用者に知覚させるノイズキャンセリング信号が制御基板２５によって生成されることにより行われる。
【０１１９】
＜まとめ＞
以上に記載した通り、音響出力装置１にあっては、少なくとも一部が外耳道１１３に挿入されるベース体２と、ベース体２に対して回転可能な回転体３と、回転体３のベース体２に対する回転支点となる支点軸２１とを備え、回転体３がベース体２に対して対向面２ａの中央部に対して変位した位置又は相対面３ａの中央部に対して変位した位置を支点として回転可能にされ、ベース体２が外耳道１１３に挿入された状態においてベース体２に対して回転された回転体３が耳１００の一部に接触される。
【０１２０】
従って、外耳道１１３に挿入されたベース体２に対して回転体３が対向面２ａ又は相対面３ａの中央部に対して変位した位置を支点として回転されることにより耳１００の一部に接触されるため、構造の簡素化を図った上で耳１００に対する安定した装着状態を確保することができる。
【０１２１】
また、ベース体２に対して回転された回転体３の少なくとも一部が耳甲介腔１１４に挿入される。
【０１２２】
従って、ベース体２が外耳道１１３の開口縁に接触すると共に回転体３の少なくとも一部が耳甲介腔１１４に挿入された状態で耳１００に音響出力装置１が装着されるため、音響出力装置１の耳１００からの突出量が少ない状態で耳１００に対する安定した装着状態を確保することができる。
【０１２３】
さらに、ベース体２に対して回転された回転体３の少なくとも一部が対耳輪１０５又は対耳輪下脚１０７に接触される。
【０１２４】
従って、ベース体２が外耳道１１３の開口縁に接触すると共に回転体３の少なくとも一部が対耳輪１０５又は対耳輪下脚１０７に接触した状態で耳１００に音響出力装置１が装着されるため、ベース体２の耳１００に対する接触位置と回転体３の耳１００に対する接触位置とが離隔し、耳１００に対する安定した装着状態を確保することができる。
【０１２５】
また、対向面２ａと相対面３ａがそれぞれ中心軸Ｐ、Ｑに直交する平面に対して傾斜され、支点軸２１の軸方向が対向面２ａに直交する方向にされている。
【０１２６】
従って、対向面２ａと相対面３ａが中心軸Ｐ、Ｑに対して傾斜されると共に支点軸２１の軸方向が対向面２ａに直交する方向にされるため、回転体３がベース体２に対して回転されたときに回転体３が耳甲介腔１１４に挿入され易くなり、音響出力装置１の耳１００に対する一層安定した装着状態を確保することができる。
【０１２７】
さらにまた、対向面２ａと相対面３ａが面接触されているため、対向面２ａと相対面３ａの間に隙間が存在せず、音響出力装置１の小型化を図ることができると共に対向面２ａと相対面３ａの間に水分や塵埃が侵入し難くなり音響出力装置１における防水性及び防塵性の向上を図ることができる。
【０１２８】
また、回転体３の周面３ｂが曲面に形成されているため、回転体３がベース体２に対して回転されたときに曲面に形成された周面３ｂが耳１００の一部に接触されて押し付けられ、装着された状態における回転体３の耳１００に対する良好な接触状態を確保することができる。
【０１２９】
さらに、ベース体２が回転体３から離隔するに従って外形の大きさが小さくなる先細りの形状に形成されている。
【０１３０】
従って、先細りの形状に形成されたベース体２が外耳道１１３に挿入されるため、外耳道１１３の大きさに拘わらずベース体２が外耳道１１３に挿入されると共に外耳道１１３の開口縁に接触され、外耳道１１３の大きさに拘わらず音響出力装置１の安定した装着状態を確保することができる。
【０１３１】
また、外耳道１１３の大きさに拘わらずベース体２が外耳道１１３に挿入されるため、外耳道１１３の大きさに応じて大きさの異なるイヤーピースに交換する必要がなく、音響出力装置１の使い勝手の向上を図ることができる。
【０１３２】
さらにまた、ベース体２が略円錐形状に形成されている。
【０１３３】
従って、外耳道１１３の大きさに拘わらずベース体２が外耳道１１３に挿入されると共に外耳道１１３の開口縁に接触され、外耳道１１３の大きさに拘わらず音響出力装置１を確実に耳１００に装着することができると共に一層安定した装着状態を確保することができる。
【０１３４】
また、ベース体２における先端部１３の外面が先端側に凸の曲面形状に形成されているため、外面が先端側に凸の曲面形状に形成された先端部１３からベース体２が外耳道１１３に挿入され、ベース体２を外耳道１１３に円滑に挿入することができる。
【０１３５】
さらに、ベース体２は内部が配置空間４ａとして形成された筐体４と筐体４における外面の少なくとも一部に密着されたイヤーピース５とを有し、イヤーピース５が弾性変形可能な材料によって形成されている。
【０１３６】
従って、弾性変形可能なイヤーピース５が外耳道１１３の開口縁に接触されるため、装着された状態におけるベース体２の耳１００に対する良好な接触状態を確保することができる。
【０１３７】
尚、回転体３はベース体２に対して反対回り方向（両方向）へ回転可能にされている。
【０１３８】
従って、使用者が回転方向を選択して回転体３を回転することが可能になるため、左の耳１００に音響出力装置１を装着する場合と右の耳１００に音響出力装置１を装着する場合とにおいてベース体２の回転方向を反対方向にすることができ、音響出力装置１を左の耳１００と右の耳１００の双方に同じ装着状態で装着することができ使い勝手の向上を図ることができる。
【０１３９】
また、左の耳１００用の音響出力装置１と右の耳１００用の音響出力装置１を共用することが可能になり、音響出力装置１における汎用性の向上を図ることができる。
【０１４０】
但し、音響出力装置１においては、回転体３がベース体２に対して一方のみに回転可能な構成にされていてもよい。この場合には、予め、左の耳１００用の音響出力装置１と右の耳１００用の音響出力装置１とを用い、左の耳１００用の音響出力装置１における回転体３がベース体２に対して一方へ回転されて左の耳１００に装着され、右の耳１００用の音響出力装置１における回転体３がベース体２に対して他方へ回転されて右の耳１００に装着される。
【０１４１】
＜音響出力装置の他の例＞
上記には、アンテナを有する音響出力装置１を例として示したが、例えば、音響出力装置１に代えて、アンテナが設けられていない構成の音響出力装置１Ａを用いることが可能である（図２１及び図２２参照）。
【０１４２】
音響出力装置１Ａにはケーブル３０が接続されており、音響出力装置１Ａにはケーブル３０を介して電力の供給や信号の送受信が行われる。音響出力装置１Ａには、例えば、ベース体２の内部にマイクロフォン２３が配置され、回転体３の内部にスピーカー２２と端子部３１が配置され、ケーブル３０が端子部３１に接続されている。端子部３１とスピーカー２２及びスピーカー２２とマイクロフォン２３はそれぞれ接続線２６、２６によって接続されている。
【０１４３】
尚、音響出力装置１Ａにおいては、スピーカー２２とマイクロフォン２３がともにベース体２の内部に配置されていてもよく、また、スピーカー２２とマイクロフォン２３がともに回転体３の内部に配置されていてもよい。
【０１４４】
音響出力装置１Ａにおいては、ケーブル３０を介して電力の供給や信号の送受信が行われるため、内部に電池と制御基板が設けられていなくてもよい。従って、音響出力装置１Ａにおいては、部品点数の削減及び構造の簡素化を図ることが可能になると共にベース体２と回転体３の内部に配置される各部の配置スペースが小さくて済み小型化を図ることも可能である。
【０１４５】
また、ケーブル３０が分岐され左の耳１００用と右の耳１００用の音響出力装置１Ａ、１Ａにそれぞれケーブル３０の一端部が接続される構成にした場合には、左の耳１００用の音響出力装置１Ａと右の耳１００用の音響出力装置１Ａとがケーブル３０を介して連結されるため、音響出力装置１Ａ、１Ａの紛失を低減することが可能になる。
【０１４６】
＜音響出力装置における対向面と相対面と支点軸の向きの例＞
上記には、対向面２ａと相対面３ａがそれぞれ中心軸Ｐ、Ｑに対して傾斜され支点軸２１の軸方向が対向面２ａと相対面３ａに直交する方向にされた音響出力装置１の例を示したが、対向面２ａと相対面３ａと支点軸２１の軸方向とは、以下のような向きにされていてもよい（図２３乃至図３０参照）。
【０１４７】
例えば、対向面２ａと相対面３ａが中心軸Ｐ、Ｑに対して直交する方向にされ、支点軸２１の軸方向が対向面２ａと相対面３ａに対して直交する方向にされた音響出力装置１Ｂを構成することが可能である（図２３及び図２４参照）。
【０１４８】
音響出力装置１Ｂにおいては、対向面２ａと相対面３ａが中心軸Ｐ、Ｑに対して直交する方向にされているため、ベース体２の配置空間４ａと回転体３の部品配置空間３ｄとの形状が簡素になり、配置空間４ａと部品配置空間３ｄに配置される各部に関する配置の自由度が高くなり、設計の自由度の向上及び小型化を図ることが可能になる。
【０１４９】
また、例えば、対向面２ａと相対面３ａが中心軸Ｐ、Ｑに対して直交する方向にされ、支点軸２１の軸方向が中心軸Ｐ、Ｑに対して傾斜する方向にされた音響出力装置１Ｃを構成することが可能である（図２５乃至図２７参照）。
【０１５０】
音響出力装置１Ｃにおいては、支点軸２１の軸方向における長さが可変とされ、回転体３のベース体２に対する回転は、非回転状態において支点軸２１の長さが長くされて回転体３がベース体２から支点軸２１の軸方向において離隔された状態で行われる（図２６及び図２７参照）。
【０１５１】
音響出力装置１Ｃにおいては、支点軸２１の軸方向における長さが可変にされているため、支点軸２１の長さを変更してベース体２と回転体３の距離を変更することが可能になり、回転体３のベース体２に対する回転を円滑に行うことができる。
【０１５２】
さらに、例えば、対向面２ａと相対面３ａが中心軸Ｐ、Ｑに対して傾斜され、支点軸２１の軸方向が中心軸Ｐ、Ｑと同じ方向にされた音響出力装置１Ｄを構成することが可能である（図２８乃至図３０参照）。
【０１５３】
音響出力装置１Ｄにおいては、支点軸２１の軸方向における長さが可変とされ、回転体３のベース体２に対する回転は、非回転状態において支点軸２１の長さが長くされて回転体３がベース体２から支点軸２１の軸方向において離隔された状態で行われる（図２９及び図３０参照）。
【０１５４】
音響出力装置１Ｄにおいては、支点軸２１の軸方向における長さが可変にされているため、支点軸２１の長さを変更してベース体２と回転体３の距離を変更することが可能になり、回転体３のベース体２に対する回転を円滑に行うことができる。
【０１５５】
また、対向面２ａと相対面３ａの中心軸Ｐ、Ｑに対する傾斜角度に拘わらず回転体３のベース体２に対する回転が可能になり、設計の自由度の向上を図ることができる。
【０１５６】
尚、上記した音響出力装置１Ｃ、１Ｄにおいては、支点軸２１の軸方向における長さが可変にされ回転体３がベース体２から支点軸２１の軸方向において離隔される例を示したが、支点軸２１の軸方向における長さが一定にされ回転体３が支点軸２１に対して支点軸２１の軸方向へ移動されて回転体３がベース体２から支点軸２１の軸方向において離隔される構成にされてもよい。
【０１５７】
＜その他＞
上記には、支点軸２１が対向面２ａの中央部（中心部）と相対面３ａの中央部（中心部）に対して変位した位置（偏心位置）に存在する例を示したが、支点軸２１は対向面２ａの中央部又は相対面３ａの中央部の何れか一方に対して変位した位置に存在してもよい（図３１乃至図３４参照）。
【０１５８】
例えば、支点軸２１は、対向面２ａの中央部に存在するが、相対面３ａの中央部には存在しない構成がある（図３１及び図３２参照）。ベース体２と回転体３の形状は任意であるが、例えば、対向面２ａが楕円形状等の非円形状にされ、相対面３ａ（底面３ｃ）が楕円形状等の非円形状にされ、回転体３のベース体２に対する回転に応じて回転体３のベース体２に対する突出量や突出位置が変化され、回転体３を耳１００の一部に接触させることが可能になる。
【０１５９】
また、例えば、支点軸２１は、相対面３ａの中央部に存在するが、対向面２ａの中央部には存在しない構成がある（図３３及び図３４参照）。ベース体２と回転体３の形状は任意であるが、例えば、対向面２ａが円形状に形成され、相対面３ａ（底面３ｃ）が楕円形状等の非円形状にされ、回転体３のベース体２に対する回転に応じて回転体３のベース体２に対する突出量や突出位置が変化され、回転体３を耳１００の一部に接触させることが可能になる。
【０１６０】
図３５乃至図３９に、音響出力装置１の各向きにおける各状態を示す。
【０１６１】
＜本技術＞
本技術は、以下のような構成にすることができる。
【０１６２】
（１）
音声を出力するスピーカーと、
対向面を有し少なくとも一部が耳の外耳道に挿入されるベース体と、
少なくとも一部が前記対向面に対向する相対面を有し前記ベース体に対して回転可能な回転体と、
前記対向面の中央部に対して変位する位置又は前記相対面の中央部に対して変位する位置の少なくとも一方の位置に存在し前記回転体の前記ベース体に対する回転支点とされる支点軸とを備え、
前記ベース体が外耳道に挿入された状態において前記ベース体に対して回転された前記回転体が耳の一部に接触可能にされた
音響出力装置。
【０１６３】
（２）
前記ベース体に対して回転された前記回転体の少なくとも一部が耳甲介腔に挿入される
前記（１）に記載の音響出力装置。
【０１６４】
（３）
前記ベース体に対して回転された前記回転体の少なくとも一部が対耳輪又は対耳輪下脚に接触される
前記（１）又は前記（２）に記載の音響出力装置。
【０１６５】
（４）
前記ベース体は中心軸を基準として回転されることにより形成される回転面である外周面を有し、
前記対向面と前記相対面が前記中心軸に直交する平面に対して傾斜され、
前記支点軸の軸方向が前記対向面に直交する方向にされた
前記（１）から前記（３）の何れかに記載の音響出力装置。
【０１６６】
（５）
前記対向面と前記相対面が面接触された
前記（１）から前記（４）の何れかに記載の音響出力装置。
【０１６７】
（６）
前記ベース体の内部にマイクロフォンが配置され、
前記ベース体における前記相対面に対向する部分には前記マイクロフォンへの音声の入力を行うための音声入力孔が形成された
前記（１）から前記（５）の何れかに記載の音響出力装置。
【０１６８】
（７）
前記回転体は一端が前記相対面の外周に連続する周面を有し、
前記周面が曲面に形成された
前記（１）から前記（６）の何れかに記載の音響出力装置。
【０１６９】
（８）
前記ベース体が前記回転体から離隔するに従って外周の大きさが小さくなる先細りの形状に形成された
前記（１）から前記（７）の何れかに記載の音響出力装置。
【０１７０】
（９）
前記ベース体が略円錐形状に形成された
前記（８）に記載の音響出力装置。
【０１７１】
（１０）
前記ベース体における先端側の部分の外面が先端側に凸の曲面形状に形成された
前記（８）又は前記（９）に記載の音響出力装置。
【０１７２】
（１１）
前記ベース体は内部が配置空間として形成された筐体と前記筐体における外面の少なくとも一部に密着されたイヤーピースとを有し、
前記イヤーピースが弾性変形可能な材料によって形成された
前記（１）から前記（１０）の何れかに記載の音響出力装置。
【０１７３】
（１２）
前記イヤーピースには音声出力孔が形成された先端部と前記先端部に連続され筒状に形成された外周部とを有し、
前記先端部の厚みが前記外周部の厚みより厚くされた
前記（１１）に記載の音響出力装置。
【０１７４】
（１３）
前記回転体が前記ベース体に対して反対回り方向へ回転可能にされた
前記（１）から前記（１２）の何れかに記載の音響出力装置。
【０１７５】
（１４）
前記回転体の内部には略円柱状の電池と前記電池から電力が供給される制御基板とが配置され、
前記電池の軸方向と前記制御基板の向く方向とが前記ベース体と前記回転体の並び方向に一致された
前記（１）から前記（１３）の何れかに記載の音響出力装置。
【０１７６】
（１５）
前記電池と前記制御基板が対向した状態で位置された
前記（１４）に記載の音響出力装置。
【０１７７】
（１６）
信号の送受信を行うアンテナが設けられた
前記（１）から前記（１５）の何れかに記載の音響出力装置。
【０１７８】
（１７）
それぞれ一部が前記ベース体の内部と前記回転体の内部とに位置されると共に少なくとも電力の供給を行うための接続線が設けられ、
前記支点軸が筒状に形成され、
前記接続線の一部が前記支点軸に挿通された
前記（１）から前記（１６）の何れかに記載の音響出力装置。
【０１７９】
（１８）
前記支点軸の軸方向における長さが可変される
前記（１）から前記（１７）の何れかに記載の音響出力装置。
【符号の説明】
【０１８０】
１００…耳、１０５…対耳輪、１０７…対耳輪下脚、１１３…外耳道、１１４…耳甲介腔、１１５…珠間切痕、１…音響出力装置、２…ベース体、２ａ…対向面、２ｂ…外周面、３…回転体、３ａ…相対面、３ｂ…周面、４…筐体、４ａ…配置空間、５…イヤーピース、１０ｂ…音声入力孔、１２…外周部、１３…先端部、２１…支点軸、２２…スピーカー、２３…マイクロフォン、２４…電池、２５…制御基板、２６…接続線、１Ａ…音響出力装置、１Ｂ…音響出力装置、１Ｃ…音響出力装置、１Ｄ…音響出力装置
【図１】
2019187610.tif 000003
【図２】
2019187610.tif 000004
【図３】
2019187610.tif 000005
【図４】
2019187610.tif 000006
【図５】
2019187610.tif 000007
【図６】
2019187610.tif 000008
【図７】
2019187610.tif 000009
【図８】
2019187610.tif 000010
【図９】
2019187610.tif 000011
【図１０】
2019187610.tif 000012
【図１１】
2019187610.tif 000013
【図１２】
2019187610.tif 000014
【図１３】
2019187610.tif 000015
【図１４】
2019187610.tif 000016
【図１５】
2019187610.tif 000017
【図１６】
2019187610.tif 000018
【図１７】
2019187610.tif 000019
【図１８】
2019187610.tif 000020
【図１９】
2019187610.tif 000021
【図２０】
2019187610.tif 000022
【図２１】
2019187610.tif 000023
【図２２】
2019187610.tif 000024
【図２３】
2019187610.tif 000025
【図２４】
2019187610.tif 000026
【図２５】
2019187610.tif 000027
【図２６】
2019187610.tif 000028
【図２７】
2019187610.tif 000029
【図２８】
2019187610.tif 000030
【図２９】
2019187610.tif 000031
【図３０】
2019187610.tif 000032
【図３１】
2019187610.tif 000033
【図３２】
2019187610.tif 000034
【図３３】
2019187610.tif 000035
【図３４】
2019187610.tif 000036
【図３５】
2019187610.tif 000037
【図３６】
2019187610.tif 000038
【図３７】
2019187610.tif 000039
【図３８】
2019187610.tif 000040
【図３９】
2019187610.tif 000041
【国際調査報告】
2019187610.tif 000042
2019187610.tif 000043